(57)【要約】【課題】  無線基地局の設置状況に応じて無線基地局の運用形態を適切に変更することが可能な無線基地局システム、運用切替方法および運用切替プログラムを提供する。【解決手段】  マスター基地局およびスレーブ基地局の少なくともいずれか一方は、受信した無線信号に基づいて通信状態を測定する通信状態測定部１４を備え、マスター基地局はさらに、通信状態を収集する収集部１５と、収集した通信状態に基づいてマスター基地局およびスレーブ基地局のカバーエリアが一致するか否かを検出するカバーエリア一致検出部１６と、マスター基地局のカバーエリアと一致するスレーブ基地局はマスター基地局の制御に基づいて無線端末局と通信する共同運用を行なうことを決定し、かつ、不一致のスレーブ基地局は共同運用を行なわないことを決定する運用判定部１７とを備える。【選択図】        図２
2006197534.tif 000002
【特許請求の範囲】
【請求項１】
制御チャネルおよび通話チャネルを使用して１台または複数台の無線端末局と通信する単独運用が可能な無線基地局を複数台備え、前記単独運用を行なう前記無線基地局である１台のマスター基地局と、前記マスター基地局と接続されることにより前記制御チャネルを使用せずに前記マスター基地局の制御に基づいて前記通話チャネルを使用して前記無線端末局と通信する共同運用が可能な１台または複数台のスレーブ基地局とで構成される無線基地局システムであって、
前記マスター基地局および前記スレーブ基地局の少なくともいずれか一方は、
無線信号を受信する受信部と、
前記受信した前記無線信号に基づいて通信状態を測定する通信状態測定部とを備え、
前記マスター基地局は、さらに、
前記測定された通信状態を収集する収集部と、
前記収集部が収集した前記通信状態に基づいて前記マスター基地局および前記スレーブ基地局のカバーエリアが一致するか否かを検出するカバーエリア一致検出部と、
前記マスター基地局のカバーエリアと一致するカバーエリアを有する前記スレーブ基地局は前記共同運用を行なうことを決定し、前記マスター基地局のカバーエリアと不一致のカバーエリアを有する前記スレーブ基地局は前記単独運用を行なうことを決定する運用判定部とを備え、
前記スレーブ基地局は、さらに、
前記運用判定部の決定に基づいて前記共同運用および前記単独運用を切り替える制御を行なう中央制御部とを備える無線基地局システム。
【請求項２】
前記マスター基地局および前記スレーブ基地局における受信部は、前記無線端末局から送信された無線信号を受信し、
前記通信状態測定部は、前記無線端末局から受信した前記無線信号に基づいて前記無線端末局との通信状態を測定し、
前記マスター基地局における収集部は、同一の前記無線端末局との前記通信状態を前記マスター基地局および前記スレーブ基地局から収集し、
前記カバーエリア一致検出部は、前記収集部が収集した前記同一の無線端末局との通信状態に基づいて前記マスター基地局および前記スレーブ基地局のカバーエリアが一致するか否かを検出する請求項１記載の無線基地局システム。
【請求項３】
前記通信状態測定部は、前記無線端末局から受信した前記無線信号の受信レベルを測定し、
前記収集部は、同一の前記無線端末局から受信した前記無線信号の受信レベルを前記マスター基地局および前記スレーブ基地局から収集し、
前記カバーエリア一致検出部は、前記収集した前記マスター基地局の前記受信レベルおよび前記収集した前記スレーブ基地局の前記受信レベルの差に基づいて前記カバーエリアの一致または不一致を検出する請求項２記載の無線基地局システム。
【請求項４】
前記収集部は、前記マスター基地局および前記スレーブ基地局のいずれかと通信中である同一の前記無線端末局との前記通信状態を前記マスター基地局および前記スレーブ基地局から収集する請求項２記載の無線基地局システム。
【請求項５】
前記マスター基地局における前記受信部は、前記スレーブ基地局から送信された前記無線信号を受信し、
前記マスター基地局における前記通信状態測定部は、前記スレーブ基地局から受信した前記無線信号に基づいて前記スレーブ基地局との通信状態を測定し、
前記収集部は、前記スレーブ基地局との通信状態を前記マスター基地局から収集し、
前記カバーエリア一致検出部は、前記収集部が収集した前記スレーブ基地局との通信状態に基づいて前記マスター基地局および前記スレーブ基地局のカバーエリアが一致するか否かを検出する請求項１記載の無線基地局システム。
【請求項６】
前記マスター基地局における前記受信部は、さらに、前記スレーブ基地局から受信した前記無線信号を減衰させ、
前記マスター基地局における前記通信状態測定部は、前記減衰させた前記無線信号に基づいて前記スレーブ基地局との通信状態を測定する請求項５記載の無線基地局システム。
【請求項７】
前記マスター基地局における前記受信部は、前記スレーブ基地局から前記無線端末局へ送信された前記無線信号を受信する請求項５記載の無線基地局システム。
【請求項８】
前記スレーブ基地局における前記受信部は、前記マスター基地局から送信された前記無線信号を受信し、
前記スレーブ基地局における前記通信状態測定部は、前記マスター基地局から受信した前記無線信号に基づいて前記マスター基地局との通信状態を測定し、
前記収集部は、前記マスター基地局との通信状態を前記スレーブ基地局から収集し、
前記カバーエリア一致検出部は、前記収集部が収集した前記マスター基地局との通信状態に基づいて前記マスター基地局および前記スレーブ基地局のカバーエリアが一致するか否かを検出する請求項１記載の無線基地局システム。
【請求項９】
前記スレーブ基地局における前記受信部は、さらに、前記マスター基地局から受信した前記無線信号を減衰させ、
前記スレーブ基地局における前記通信状態測定部は、前記減衰させた前記無線信号に基づいて前記マスター基地局との通信状態を測定する請求項８記載の無線基地局システム。
【請求項１０】
前記スレーブ基地局における前記受信部は、前記マスター基地局から前記無線端末局へ送信された前記無線信号を受信する請求項８記載の無線基地局システム。
【請求項１１】
前記スレーブ基地局における前記受信部は、前記マスター基地局から送信された前記無線信号を受信し、
前記スレーブ基地局における前記通信状態測定部は、前記マスター基地局から受信した前記無線信号に基づいて前記マスター基地局との通信状態を測定し、
前記マスター基地局における前記受信部は、前記スレーブ基地局から送信された前記無線信号を受信し、
前記マスター基地局における前記通信状態測定部は、前記スレーブ基地局から受信した前記無線信号に基づいて前記スレーブ基地局との通信状態を測定し、
前記収集部は、前記マスター基地局との通信状態を前記スレーブ基地局から収集し、かつ、前記スレーブ基地局との通信状態を前記マスター基地局から収集し、
前記カバーエリア一致検出部は、前記収集部が収集した前記マスター基地局との通信状態および前記スレーブ基地局との通信状態に基づいて前記マスター基地局および前記スレーブ基地局のカバーエリアが一致するか否かを検出する請求項１記載の無線基地局システム。
【請求項１２】
制御チャネルおよび通話チャネルを使用して１台または複数台の無線端末局と通信する単独運用が可能な無線基地局を複数台備え、前記単独運用を行なう前記無線基地局である１台のマスター基地局と、前記マスター基地局と接続されることにより前記制御チャネルを使用せずに前記マスター基地局の制御に基づいて前記通話チャネルを使用して前記無線端末局と通信する共同運用が可能な１台または複数台のスレーブ基地局とで構成される無線基地局システムにおける運用切替方法であって、
前記マスター基地局および前記スレーブ基地局の少なくともいずれか一方が、無線信号を受信する受信ステップと、
前記無線信号を受信した前記無線基地局が、前記受信した前記無線信号に基づいて通信状態を測定する通信状態測定ステップと、
前記マスター基地局が、前記測定された通信状態を収集する収集ステップと、
前記マスター基地局が、前記収集ステップにおいて収集された前記通信状態に基づいて前記マスター基地局および前記スレーブ基地局のカバーエリアが一致するか否かを検出するカバーエリア一致検出ステップと、
前記マスター基地局が、前記マスター基地局のカバーエリアと一致するカバーエリアを有する前記スレーブ基地局は前記共同運用を行なうことを決定し、前記マスター基地局のカバーエリアと不一致のカバーエリアを有する前記スレーブ基地局は前記単独運用を行なうことを決定する運用判定ステップと、
前記スレーブ基地局が、前記運用判定ステップの決定に基づいて前記共同運用および前記単独運用を切り替える制御を行なう中央制御ステップとを含む運用切替方法。
【請求項１３】
前記受信ステップにおいては、前記マスター基地局および前記スレーブ基地局が、前記無線端末局から送信された無線信号を受信し、
前記通信状態測定ステップにおいては、前記マスター基地局および前記スレーブ基地局が、前記無線端末局から受信した前記無線信号に基づいて前記無線端末局との通信状態を測定し、
前記収集ステップにおいては、前記マスター基地局が、同一の前記無線端末局との前記通信状態を前記マスター基地局および前記スレーブ基地局から収集し、
前記カバーエリア一致検出ステップにおいては、前記マスター基地局が、前記収集ステップにおいて収集された前記同一の無線端末局との通信状態に基づいて前記マスター基地局および前記スレーブ基地局のカバーエリアが一致するか否かを検出する請求項１２記載の運用切替方法。
【請求項１４】
前記通信状態測定ステップにおいては、前記マスター基地局および前記スレーブ基地局が、前記無線端末局から受信した前記無線信号の受信レベルを測定し、
前記収集ステップにおいては、前記マスター基地局が、同一の前記無線端末局から受信した前記無線信号の受信レベルを前記マスター基地局および前記スレーブ基地局から収集し、
前記カバーエリア一致検出ステップにおいては、前記マスター基地局が、前記収集された前記マスター基地局の前記受信レベルおよび前記収集された前記スレーブ基地局の前記受信レベルの差に基づいて前記カバーエリアの一致または不一致を検出する請求項１３記載の運用切替方法。
【請求項１５】
前記収集ステップにおいては、前記マスター基地局が、前記マスター基地局および前記スレーブ基地局のいずれかと通信中である同一の前記無線端末局との前記通信状態を前記マスター基地局および前記スレーブ基地局から収集する請求項１３記載の運用切替方法。
【請求項１６】
前記受信ステップにおいては、前記マスター基地局が、前記スレーブ基地局から送信された前記無線信号を受信し、
前記通信状態測定ステップにおいては、前記マスター基地局が、前記スレーブ基地局から受信した前記無線信号に基づいて前記スレーブ基地局との通信状態を測定し、
前記収集ステップにおいては、前記マスター基地局が、前記スレーブ基地局との通信状態を収集し、
前記カバーエリア一致検出ステップにおいては、前記マスター基地局が、前記収集ステップにおいて収集された前記スレーブ基地局との通信状態に基づいて前記マスター基地局および前記スレーブ基地局のカバーエリアが一致するか否かを検出する請求項１２記載の運用切替方法。
【請求項１７】
前記運用切替方法は、さらに、前記マスター基地局が、前記スレーブ基地局から受信した前記無線信号を減衰させる減衰ステップを含み、
前記通信状態測定ステップにおいては、前記マスター基地局が、前記減衰させた前記無線信号に基づいて前記スレーブ基地局との通信状態を測定する請求項１６記載の運用切替方法。
【請求項１８】
前記受信ステップにおいては、前記マスター基地局が、前記スレーブ基地局から前記無線端末局へ送信された前記無線信号を受信する請求項１６記載の運用切替方法。
【請求項１９】
前記受信ステップにおいては、前記スレーブ基地局が、前記マスター基地局から送信された前記無線信号を受信し、
前記通信状態測定ステップにおいては、前記スレーブ基地局が、前記マスター基地局から受信した前記無線信号に基づいて前記マスター基地局との通信状態を測定し、
前記収集ステップにおいては、前記マスター基地局が、前記マスター基地局との通信状態を収集し、
前記カバーエリア一致検出ステップにおいては、前記マスター基地局が、前記収集ステップにおいて収集された前記マスター基地局との通信状態に基づいて前記マスター基地局および前記スレーブ基地局のカバーエリアが一致するか否かを検出する請求項１２記載の運用切替方法。
【請求項２０】
前記運用切替方法は、さらに、前記スレーブ基地局が、前記マスター基地局から受信した前記無線信号を減衰させる減衰ステップを含み、
前記通信状態測定ステップにおいては、前記スレーブ基地局が、前記減衰させた前記無線信号に基づいて前記マスター基地局との通信状態を測定する請求項１９記載の運用切替方法。
【請求項２１】
前記受信ステップにおいては、前記スレーブ基地局が、前記マスター基地局から前記無線端末局へ送信された前記無線信号を受信する請求項１９記載の運用切替方法。
【請求項２２】
前記受信ステップにおいては、前記スレーブ基地局が、前記マスター基地局から送信された前記無線信号を受信し、かつ、前記マスター基地局が、前記スレーブ基地局から送信された前記無線信号を受信し、
前記通信状態測定ステップにおいては、前記スレーブ基地局が、前記マスター基地局から受信した前記無線信号に基づいて前記マスター基地局との通信状態を測定し、かつ、前記マスター基地局が、前記スレーブ基地局から受信した前記無線信号に基づいて前記スレーブ基地局との通信状態を測定し、
前記収集ステップにおいては、前記マスター基地局が、前記マスター基地局との通信状態および前記スレーブ基地局との通信状態を収集し、
前記カバーエリア一致検出ステップにおいては、前記マスター基地局が、前記収集ステップにおいて収集された前記マスター基地局との通信状態および前記スレーブ基地局との通信状態に基づいて前記マスター基地局および前記スレーブ基地局のカバーエリアが一致するか否かを検出する請求項１２記載の運用切替方法。
【請求項２３】
制御チャネルおよび通話チャネルを使用して１台または複数台の無線端末局と通信する単独運用が可能な無線基地局を複数台備え、前記単独運用を行なう前記無線基地局である１台のマスター基地局と、前記マスター基地局と接続されることにより前記制御チャネルを使用せずに前記マスター基地局の制御に基づいて前記通話チャネルを使用して前記無線端末局と通信する共同運用が可能な１台または複数台のスレーブ基地局とで構成される無線基地局システムにおける運用切替プログラムであって、コンピュータに、
前記マスター基地局および前記スレーブ基地局の少なくともいずれか一方が、無線信号を受信する受信ステップと、
前記無線信号を受信した前記無線基地局が、前記受信した前記無線信号に基づいて通信状態を測定する通信状態測定ステップと、
前記マスター基地局が、前記測定された通信状態を収集する収集ステップと、
前記マスター基地局が、前記収集ステップにおいて収集された前記通信状態に基づいて前記マスター基地局および前記スレーブ基地局のカバーエリアが一致するか否かを検出するカバーエリア一致検出ステップと、
前記マスター基地局が、前記マスター基地局のカバーエリアと一致するカバーエリアを有する前記スレーブ基地局は前記共同運用を行なうことを決定し、前記マスター基地局のカバーエリアと不一致のカバーエリアを有する前記スレーブ基地局は前記単独運用を行なうことを決定する運用判定ステップと、
前記スレーブ基地局が、前記運用判定ステップの決定に基づいて前記共同運用および前記単独運用を切り替える制御を行なう中央制御ステップとを実行させる運用切替プログラム。
【請求項２４】
前記受信ステップにおいては、前記マスター基地局および前記スレーブ基地局が、前記無線端末局から送信された無線信号を受信し、
前記通信状態測定ステップにおいては、前記マスター基地局および前記スレーブ基地局が、前記無線端末局から受信した前記無線信号に基づいて前記無線端末局との通信状態を測定し、
前記収集ステップにおいては、前記マスター基地局が、同一の前記無線端末局との前記通信状態を前記マスター基地局および前記スレーブ基地局から収集し、
前記カバーエリア一致検出ステップにおいては、前記マスター基地局が、前記収集ステップにおいて収集された前記同一の無線端末局との通信状態に基づいて前記マスター基地局および前記スレーブ基地局のカバーエリアが一致するか否かを検出する請求項２３記載の運用切替プログラム。
【請求項２５】
前記通信状態測定ステップにおいては、前記マスター基地局および前記スレーブ基地局が、前記無線端末局から受信した前記無線信号の受信レベルを測定し、
前記収集ステップにおいては、前記マスター基地局が、同一の前記無線端末局から受信した前記無線信号の受信レベルを前記マスター基地局および前記スレーブ基地局から収集し、
前記カバーエリア一致検出ステップにおいては、前記マスター基地局が、前記収集された前記マスター基地局の前記受信レベルおよび前記収集された前記スレーブ基地局の前記受信レベルの差に基づいて前記カバーエリアの一致または不一致を検出する請求項２４記載の運用切替プログラム。
【請求項２６】
前記収集ステップにおいては、前記マスター基地局が、前記マスター基地局および前記スレーブ基地局のいずれかと通信中である同一の前記無線端末局との前記通信状態を前記マスター基地局および前記スレーブ基地局から収集する請求項２４記載の運用切替プログラム。
【請求項２７】
前記受信ステップにおいては、前記マスター基地局が、前記スレーブ基地局から送信された前記無線信号を受信し、
前記通信状態測定ステップにおいては、前記マスター基地局が、前記スレーブ基地局から受信した前記無線信号に基づいて前記スレーブ基地局との通信状態を測定し、
前記収集ステップにおいては、前記マスター基地局が、前記スレーブ基地局との通信状態を収集し、
前記カバーエリア一致検出ステップにおいては、前記マスター基地局が、前記収集ステップにおいて収集された前記スレーブ基地局との通信状態に基づいて前記マスター基地局および前記スレーブ基地局のカバーエリアが一致するか否かを検出する請求項２３記載の運用切替プログラム。
【請求項２８】
前記運用切替プログラムは、さらに、コンピュータに、前記マスター基地局が、前記スレーブ基地局から受信した前記無線信号を減衰させる減衰ステップを実行させ、
前記通信状態測定ステップにおいては、前記マスター基地局が、前記減衰させた前記無線信号に基づいて前記スレーブ基地局との通信状態を測定する請求項２７記載の運用切替プログラム。
【請求項２９】
前記受信ステップにおいては、前記マスター基地局が、前記スレーブ基地局から前記無線端末局へ送信された前記無線信号を受信する請求項２７記載の運用切替プログラム。
【請求項３０】
前記受信ステップにおいては、前記スレーブ基地局が、前記マスター基地局から送信された前記無線信号を受信し、
前記通信状態測定ステップにおいては、前記スレーブ基地局が、前記マスター基地局から受信した前記無線信号に基づいて前記マスター基地局との通信状態を測定し、
前記収集ステップにおいては、前記マスター基地局が、前記マスター基地局との通信状態を収集し、
前記カバーエリア一致検出ステップにおいては、前記マスター基地局が、前記収集ステップにおいて収集された前記マスター基地局との通信状態に基づいて前記マスター基地局および前記スレーブ基地局のカバーエリアが一致するか否かを検出する請求項２３記載の運用切替プログラム。
【請求項３１】
前記運用切替プログラムは、さらに、コンピュータに、前記スレーブ基地局が、前記マスター基地局から受信した前記無線信号を減衰させる減衰ステップを実行させ、
前記通信状態測定ステップにおいては、前記スレーブ基地局が、前記減衰させた前記無線信号に基づいて前記マスター基地局との通信状態を測定する請求項３０記載の運用切替プログラム。
【請求項３２】
前記受信ステップにおいては、前記スレーブ基地局が、前記マスター基地局から前記無線端末局へ送信された前記無線信号を受信する請求項３０記載の運用切替プログラム。
【請求項３３】
前記受信ステップにおいては、前記スレーブ基地局が、前記マスター基地局から送信された前記無線信号を受信し、かつ、前記マスター基地局が、前記スレーブ基地局から送信された前記無線信号を受信し、
前記通信状態測定ステップにおいては、前記スレーブ基地局が、前記マスター基地局から受信した前記無線信号に基づいて前記マスター基地局との通信状態を測定し、かつ、前記マスター基地局が、前記スレーブ基地局から受信した前記無線信号に基づいて前記スレーブ基地局との通信状態を測定し、
前記収集ステップにおいては、前記マスター基地局が、前記マスター基地局との通信状態および前記スレーブ基地局との通信状態を収集し、
前記カバーエリア一致検出ステップにおいては、前記マスター基地局が、前記収集ステップにおいて収集された前記マスター基地局との通信状態および前記スレーブ基地局との通信状態に基づいて前記マスター基地局および前記スレーブ基地局のカバーエリアが一致するか否かを検出する請求項２３記載の運用切替プログラム。
【発明の詳細な説明】
【技術分野】
【０００１】
本発明は、無線基地局システム、運用切替方法および運用切替プログラムに関し、特に、マスター基地局およびスレーブ基地局が接続されて、スレーブ基地局がマスター基地局の制御に基づいて無線端末局と通信することが可能な無線基地局システム、運用切替方法および運用切替プログラムに関する。
【背景技術】
【０００２】
移動体通信システム（たとえば、Personal Handy-Phone System：以下、ＰＨＳ）では、ＴＤＭＡ／ＴＤＤ（Time Division Multiple Access/Time Division Duplex）方式で通信を行なっている。ＰＨＳでは、１フレームが８スロットで構成され、上り（無線端末局から無線基地局への通信方向）４スロットおよび下り（無線基地局から無線端末局への通信方向）４スロットで構成される。通常、上りおよび下りの４対のスロットのうち、１対のスロットには、各無線端末局で共通の制御チャネル（以下、共通制御チャネルという）が割り当てられ、３対のスロットには、各無線端末局で別個の制御チャネル（以下、個別制御チャネルという）および通話チャネルが割り当てられる。共通制御チャネルをＣ、通話チャネルおよび個別制御チャネルをＴで表わすと、無線基地局の通常のフレームの構成は、１Ｃ３Ｔのフレーム構成である。
【０００３】
また、無線基地局および無線端末局は１または複数の帯域の無線信号を送受信し、これらの各帯域（以下、無線チャネルという）ごとにフレームおよびスロットが存在する。
【０００４】
また、無線端末局は通話チャネルおよび個別制御チャネル用のスロット（以下、通信用スロットという）の割り当てを無線基地局から受けることにより、無線基地局と個別に通信を行なうことができる。各無線端末局は通信用スロットの割り当てを受けるために無線基地局から送信される下り共通制御チャネルを受信して無線基地局の情報を取得する。そして、各無線端末局は無線基地局の情報に基づいて上り共通制御チャネルを無線基地局に送信することにより通信用スロットの割り当てを無線基地局に要求する。
【０００５】
ここで、従来からマスター基地局およびスレーブ基地局で構成され、スレーブ基地局が共通制御チャネルを使用せずにマスター基地局の制御に基づいて無線端末局と通信する共同運用が可能な無線基地局システムが提案されている。マスター基地局のフレームの構成は、通常のフレーム構成であり、１Ｃ３Ｔである。マスター基地局の共通制御チャネルは、マスター基地局とスレーブ基地局に共通に用いられる。それゆえ、スレーブ基地局では、４対のスロットのすべてに通話チャネルおよび個別制御チャネルが割り当てられる。つまり、スレーブ基地局の通常のフレームの構成は、４Ｔのフレーム構成である。したがって、この無線基地局システム全体のフレームの構成は、１Ｃ７Ｔである。無線基地局のフレーム構成は、無線基地局の運用形態を表わす一つの指標である。
【０００６】
スレーブ基地局が共同運用を行なう無線基地局システムでは、スレーブ基地局のフレームには、共通制御チャネルを割り当てなくてもよいので、割り当てることのできる通話チャネルおよび個別制御チャネルの数を増やすことができる。
【０００７】
たとえば、特許文献１には、以下のような無線基地局システムが開示されている。すなわち、携帯端末と無線通信を行なう２つの無線基地局を接続用ケーブルで接続するとともに、各基地局が公衆回線に接続された無線基地局システムであって、各無線基地局が、携帯端末（無線端末局）との間の複数の通信チャネルのうち、少なくとも１つを制御チャネルとするマスター局モードと、上記複数の通信チャネルを全て通話チャネルとするスレーブ局モードとを有し、上記接続用ケーブルのコネクタ部の状態に応じて、マスター局モードとスレーブ局モードのいずれかに切り替える。このような構成により、一方の無線基地局に故障等のトラブルがあっても他方の無線基地局を有効に利用して、各無線基地局において正常に動作する機能をできる限り有効に生かすことができる。
【特許文献１】特許第３２３４５７４号公報
【発明の開示】
【発明が解決しようとする課題】
【０００８】
ところで、無線基地局システムの通信能力、すなわち同時に通信可能な無線端末局数を増加させたい場合には、無線基地局システムに新たな無線基地局を増設する。このとき、既存のマスター基地局が共通制御チャネルの送受信に使用するアンテナと、増設された無線基地局が通話チャネルおよび個別制御チャネルの送受信に使用するアンテナとの距離が大きく離れていると、共通制御チャネルの通信可能領域（以下、カバーエリアという）ならびに通話チャネルおよび個別制御チャネルのカバーエリアが不一致となってしまう。共通制御チャネルのカバーエリアおよび通話チャネルおよび個別制御チャネルのカバーエリアが不一致であると、通信用スロットの割り当てが正常に行なわれず、無線基地局のカバーエリアが実質的に狭くなる等の不具合が生じてしまう。
【０００９】
したがって、特許文献１記載の無線基地局システムでは、接続用ケーブルのコネクタ部に異常がなければ無線基地局の運用形態が変更されない構成であるため、無線基地局の設置状況に応じて無線基地局の運用形態を適切に変更することができないという問題点があった。
【００１０】
それゆえに、本発明の目的は、無線基地局の設置状況に応じて無線基地局の運用形態を適切に変更することが可能な無線基地局システム、運用切替方法および運用切替プログラムを提供することである。
【課題を解決するための手段】
【００１１】
上記課題を解決するために、この発明のある局面に係わる無線基地局システムは、制御チャネルおよび通話チャネルを使用して１台または複数台の無線端末局と通信する単独運用が可能な無線基地局を複数台備え、単独運用を行なう無線基地局である１台のマスター基地局と、マスター基地局と接続されることにより制御チャネルを使用せずにマスター基地局の制御に基づいて通話チャネルを使用して無線端末局と通信する共同運用が可能な１台または複数台のスレーブ基地局とで構成される無線基地局システムであって、マスター基地局およびスレーブ基地局の少なくともいずれか一方は、無線信号を受信する受信部と、受信した無線信号に基づいて通信状態を測定する通信状態測定部とを備え、マスター基地局は、さらに、測定された通信状態を収集する収集部と、収集部が収集した通信状態に基づいてマスター基地局およびスレーブ基地局のカバーエリアが一致するか否かを検出するカバーエリア一致検出部と、マスター基地局のカバーエリアと一致するカバーエリアを有するスレーブ基地局は共同運用を行なうことを決定し、マスター基地局のカバーエリアと不一致のカバーエリアを有するスレーブ基地局は単独運用を行なうことを決定する運用判定部とを備え、スレーブ基地局は、さらに、運用判定部の決定に基づいて共同運用および単独運用を切り替える制御を行なう中央制御部とを備える。
【００１２】
好ましくは、マスター基地局およびスレーブ基地局における受信部は、無線端末局から送信された無線信号を受信し、通信状態測定部は、無線端末局から受信した無線信号に基づいて無線端末局との通信状態を測定し、マスター基地局における収集部は、同一の無線端末局との通信状態をマスター基地局およびスレーブ基地局から収集し、カバーエリア一致検出部は、収集部が収集した同一の無線端末局との通信状態に基づいてマスター基地局およびスレーブ基地局のカバーエリアが一致するか否かを検出する。
【００１３】
より好ましくは、通信状態測定部は、無線端末局から受信した無線信号の受信レベルを測定し、収集部は、同一の無線端末局から受信した無線信号の受信レベルをマスター基地局およびスレーブ基地局から収集し、カバーエリア一致検出部は、収集したマスター基地局の受信レベルおよび収集したスレーブ基地局の受信レベルの差に基づいてカバーエリアの一致または不一致を検出する。
【００１４】
より好ましくは、収集部は、マスター基地局およびスレーブ基地局のいずれかと通信中である同一の無線端末局との通信状態をマスター基地局およびスレーブ基地局から収集する。
【００１５】
好ましくは、マスター基地局における受信部は、スレーブ基地局から送信された無線信号を受信し、マスター基地局における通信状態測定部は、スレーブ基地局から受信した無線信号に基づいてスレーブ基地局との通信状態を測定し、収集部は、スレーブ基地局との通信状態をマスター基地局から収集し、カバーエリア一致検出部は、収集部が収集したスレーブ基地局との通信状態に基づいてマスター基地局およびスレーブ基地局のカバーエリアが一致するか否かを検出する。
【００１６】
より好ましくは、マスター基地局における受信部は、さらに、スレーブ基地局から受信した無線信号を減衰させ、マスター基地局における通信状態測定部は、減衰させた無線信号に基づいてスレーブ基地局との通信状態を測定する。
【００１７】
より好ましくは、マスター基地局における受信部は、スレーブ基地局から無線端末局へ送信された無線信号を受信する。
【００１８】
好ましくは、スレーブ基地局における受信部は、マスター基地局から送信された無線信号を受信し、スレーブ基地局における通信状態測定部は、マスター基地局から受信した無線信号に基づいてマスター基地局との通信状態を測定し、収集部は、マスター基地局との通信状態をスレーブ基地局から収集し、カバーエリア一致検出部は、収集部が収集したマスター基地局との通信状態に基づいてマスター基地局およびスレーブ基地局のカバーエリアが一致するか否かを検出する。
【００１９】
より好ましくは、スレーブ基地局における受信部は、さらに、マスター基地局から受信した無線信号を減衰させ、スレーブ基地局における通信状態測定部は、減衰させた無線信号に基づいてマスター基地局との通信状態を測定する。
【００２０】
より好ましくは、スレーブ基地局における受信部は、マスター基地局から無線端末局へ送信された無線信号を受信する。
【００２１】
好ましくは、スレーブ基地局における受信部は、マスター基地局から送信された無線信号を受信し、スレーブ基地局における通信状態測定部は、マスター基地局から受信した無線信号に基づいてマスター基地局との通信状態を測定し、マスター基地局における受信部は、スレーブ基地局から送信された無線信号を受信し、マスター基地局における通信状態測定部は、スレーブ基地局から受信した無線信号に基づいてスレーブ基地局との通信状態を測定し、収集部は、マスター基地局との通信状態をスレーブ基地局から収集し、かつ、スレーブ基地局との通信状態をマスター基地局から収集し、カバーエリア一致検出部は、収集部が収集したマスター基地局との通信状態およびスレーブ基地局との通信状態に基づいてマスター基地局およびスレーブ基地局のカバーエリアが一致するか否かを検出する。
【００２２】
上記課題を解決するために、この発明のある局面に係わる運用切替方法は、制御チャネルおよび通話チャネルを使用して１台または複数台の無線端末局と通信する単独運用が可能な無線基地局を複数台備え、単独運用を行なう無線基地局である１台のマスター基地局と、マスター基地局と接続されることにより制御チャネルを使用せずにマスター基地局の制御に基づいて通話チャネルを使用して無線端末局と通信する共同運用が可能な１台または複数台のスレーブ基地局とで構成される無線基地局システムにおける運用切替方法であって、マスター基地局およびスレーブ基地局の少なくともいずれか一方が、無線信号を受信する受信ステップと、無線信号を受信した無線基地局が、受信した無線信号に基づいて通信状態を測定する通信状態測定ステップと、マスター基地局が、測定された通信状態を収集する収集ステップと、マスター基地局が、収集ステップにおいて収集された通信状態に基づいてマスター基地局およびスレーブ基地局のカバーエリアが一致するか否かを検出するカバーエリア一致検出ステップと、マスター基地局が、マスター基地局のカバーエリアと一致するカバーエリアを有するスレーブ基地局は共同運用を行なうことを決定し、マスター基地局のカバーエリアと不一致のカバーエリアを有するスレーブ基地局は単独運用を行なうことを決定する運用判定ステップと、スレーブ基地局が、運用判定ステップの決定に基づいて共同運用および単独運用を切り替える制御を行なう中央制御ステップとを含む。
【００２３】
好ましくは、受信ステップにおいては、マスター基地局およびスレーブ基地局が、無線端末局から送信された無線信号を受信し、通信状態測定ステップにおいては、マスター基地局およびスレーブ基地局が、無線端末局から受信した無線信号に基づいて無線端末局との通信状態を測定し、収集ステップにおいては、マスター基地局が、同一の無線端末局との通信状態をマスター基地局およびスレーブ基地局から収集し、カバーエリア一致検出ステップにおいては、マスター基地局が、収集ステップにおいて収集された同一の無線端末局との通信状態に基づいてマスター基地局およびスレーブ基地局のカバーエリアが一致するか否かを検出する。
【００２４】
より好ましくは、通信状態測定ステップにおいては、マスター基地局およびスレーブ基地局が、無線端末局から受信した無線信号の受信レベルを測定し、収集ステップにおいては、マスター基地局が、同一の無線端末局から受信した無線信号の受信レベルをマスター基地局およびスレーブ基地局から収集し、カバーエリア一致検出ステップにおいては、マスター基地局が、収集されたマスター基地局の受信レベルおよび収集されたスレーブ基地局の受信レベルの差に基づいてカバーエリアの一致または不一致を検出する。
【００２５】
より好ましくは、収集ステップにおいては、マスター基地局が、マスター基地局およびスレーブ基地局のいずれかと通信中である同一の無線端末局との通信状態をマスター基地局およびスレーブ基地局から収集する。
【００２６】
好ましくは、受信ステップにおいては、マスター基地局が、スレーブ基地局から送信された無線信号を受信し、通信状態測定ステップにおいては、マスター基地局が、スレーブ基地局から受信した無線信号に基づいてスレーブ基地局との通信状態を測定し、収集ステップにおいては、マスター基地局が、スレーブ基地局との通信状態を収集し、カバーエリア一致検出ステップにおいては、マスター基地局が、収集ステップにおいて収集されたスレーブ基地局との通信状態に基づいてマスター基地局およびスレーブ基地局のカバーエリアが一致するか否かを検出する。
【００２７】
より好ましくは、運用切替方法は、さらに、マスター基地局が、スレーブ基地局から受信した無線信号を減衰させる減衰ステップを含み、通信状態測定ステップにおいては、マスター基地局が、減衰させた無線信号に基づいてスレーブ基地局との通信状態を測定する。
【００２８】
より好ましくは、受信ステップにおいては、マスター基地局が、スレーブ基地局から無線端末局へ送信された無線信号を受信する。
【００２９】
好ましくは、受信ステップにおいては、スレーブ基地局が、マスター基地局から送信された無線信号を受信し、通信状態測定ステップにおいては、スレーブ基地局が、マスター基地局から受信した無線信号に基づいてマスター基地局との通信状態を測定し、収集ステップにおいては、マスター基地局が、マスター基地局との通信状態を収集し、カバーエリア一致検出ステップにおいては、マスター基地局が、収集ステップにおいて収集されたマスター基地局との通信状態に基づいてマスター基地局およびスレーブ基地局のカバーエリアが一致するか否かを検出する。
【００３０】
より好ましくは、運用切替方法は、さらに、スレーブ基地局が、マスター基地局から受信した無線信号を減衰させる減衰ステップを含み、通信状態測定ステップにおいては、スレーブ基地局が、減衰させた無線信号に基づいてマスター基地局との通信状態を測定する。
【００３１】
より好ましくは、受信ステップにおいては、スレーブ基地局が、マスター基地局から無線端末局へ送信された無線信号を受信する。
【００３２】
好ましくは、受信ステップにおいては、スレーブ基地局が、マスター基地局から送信された無線信号を受信し、かつ、マスター基地局が、スレーブ基地局から送信された無線信号を受信し、通信状態測定ステップにおいては、スレーブ基地局が、マスター基地局から受信した無線信号に基づいてマスター基地局との通信状態を測定し、かつ、マスター基地局が、スレーブ基地局から受信した無線信号に基づいてスレーブ基地局との通信状態を測定し、収集ステップにおいては、マスター基地局が、マスター基地局との通信状態およびスレーブ基地局との通信状態を収集し、カバーエリア一致検出ステップにおいては、マスター基地局が、収集ステップにおいて収集されたマスター基地局との通信状態およびスレーブ基地局との通信状態に基づいてマスター基地局およびスレーブ基地局のカバーエリアが一致するか否かを検出する。
【００３３】
上記課題を解決するために、この発明のある局面に係わる運用切替プログラムは、制御チャネルおよび通話チャネルを使用して１台または複数台の無線端末局と通信する単独運用が可能な無線基地局を複数台備え、単独運用を行なう無線基地局である１台のマスター基地局と、マスター基地局と接続されることにより制御チャネルを使用せずにマスター基地局の制御に基づいて通話チャネルを使用して無線端末局と通信する共同運用が可能な１台または複数台のスレーブ基地局とで構成される無線基地局システムにおける運用切替プログラムであって、コンピュータに、マスター基地局およびスレーブ基地局の少なくともいずれか一方が、無線信号を受信する受信ステップと、無線信号を受信した無線基地局が、受信した無線信号に基づいて通信状態を測定する通信状態測定ステップと、マスター基地局が、測定された通信状態を収集する収集ステップと、マスター基地局が、収集ステップにおいて収集された通信状態に基づいてマスター基地局およびスレーブ基地局のカバーエリアが一致するか否かを検出するカバーエリア一致検出ステップと、マスター基地局が、マスター基地局のカバーエリアと一致するカバーエリアを有するスレーブ基地局は共同運用を行なうことを決定し、マスター基地局のカバーエリアと不一致のカバーエリアを有するスレーブ基地局は単独運用を行なうことを決定する運用判定ステップと、スレーブ基地局が、運用判定ステップの決定に基づいて共同運用および単独運用を切り替える制御を行なう中央制御ステップとを実行させる。
【００３４】
好ましくは、受信ステップにおいては、マスター基地局およびスレーブ基地局が、無線端末局から送信された無線信号を受信し、通信状態測定ステップにおいては、マスター基地局およびスレーブ基地局が、無線端末局から受信した無線信号に基づいて無線端末局との通信状態を測定し、収集ステップにおいては、マスター基地局が、同一の無線端末局との通信状態をマスター基地局およびスレーブ基地局から収集し、カバーエリア一致検出ステップにおいては、マスター基地局が、収集ステップにおいて収集された同一の無線端末局との通信状態に基づいてマスター基地局およびスレーブ基地局のカバーエリアが一致するか否かを検出する。
【００３５】
より好ましくは、通信状態測定ステップにおいては、マスター基地局およびスレーブ基地局が、無線端末局から受信した無線信号の受信レベルを測定し、収集ステップにおいては、マスター基地局が、同一の無線端末局から受信した無線信号の受信レベルをマスター基地局およびスレーブ基地局から収集し、カバーエリア一致検出ステップにおいては、マスター基地局が、収集されたマスター基地局の受信レベルおよび収集されたスレーブ基地局の受信レベルの差に基づいてカバーエリアの一致または不一致を検出する。
【００３６】
より好ましくは、収集ステップにおいては、マスター基地局が、マスター基地局およびスレーブ基地局のいずれかと通信中である同一の無線端末局との通信状態をマスター基地局およびスレーブ基地局から収集する。
【００３７】
好ましくは、受信ステップにおいては、マスター基地局が、スレーブ基地局から送信された無線信号を受信し、通信状態測定ステップにおいては、マスター基地局が、スレーブ基地局から受信した無線信号に基づいてスレーブ基地局との通信状態を測定し、収集ステップにおいては、マスター基地局が、スレーブ基地局との通信状態を収集し、カバーエリア一致検出ステップにおいては、マスター基地局が、収集ステップにおいて収集されたスレーブ基地局との通信状態に基づいてマスター基地局およびスレーブ基地局のカバーエリアが一致するか否かを検出する。
【００３８】
より好ましくは、運用切替プログラムは、さらに、コンピュータに、マスター基地局が、スレーブ基地局から受信した無線信号を減衰させる減衰ステップを実行させ、通信状態測定ステップにおいては、マスター基地局が、減衰させた無線信号に基づいてスレーブ基地局との通信状態を測定する。
【００３９】
より好ましくは、受信ステップにおいては、マスター基地局が、スレーブ基地局から無線端末局へ送信された無線信号を受信する。
【００４０】
好ましくは、受信ステップにおいては、スレーブ基地局が、マスター基地局から送信された無線信号を受信し、通信状態測定ステップにおいては、スレーブ基地局が、マスター基地局から受信した無線信号に基づいてマスター基地局との通信状態を測定し、収集ステップにおいては、マスター基地局が、マスター基地局との通信状態を収集し、カバーエリア一致検出ステップにおいては、マスター基地局が、収集ステップにおいて収集されたマスター基地局との通信状態に基づいてマスター基地局およびスレーブ基地局のカバーエリアが一致するか否かを検出する。
【００４１】
より好ましくは、運用切替プログラムは、さらに、コンピュータに、スレーブ基地局が、マスター基地局から受信した無線信号を減衰させる減衰ステップを実行させ、通信状態測定ステップにおいては、スレーブ基地局が、減衰させた無線信号に基づいてマスター基地局との通信状態を測定する。
【００４２】
より好ましくは、受信ステップにおいては、スレーブ基地局が、マスター基地局から無線端末局へ送信された無線信号を受信する。
【００４３】
好ましくは、受信ステップにおいては、スレーブ基地局が、マスター基地局から送信された無線信号を受信し、かつ、マスター基地局が、スレーブ基地局から送信された無線信号を受信し、通信状態測定ステップにおいては、スレーブ基地局が、マスター基地局から受信した無線信号に基づいてマスター基地局との通信状態を測定し、かつ、マスター基地局が、スレーブ基地局から受信した無線信号に基づいてスレーブ基地局との通信状態を測定し、収集ステップにおいては、マスター基地局が、マスター基地局との通信状態およびスレーブ基地局との通信状態を収集し、カバーエリア一致検出ステップにおいては、マスター基地局が、収集ステップにおいて収集されたマスター基地局との通信状態およびスレーブ基地局との通信状態に基づいてマスター基地局およびスレーブ基地局のカバーエリアが一致するか否かを検出する。
【発明の効果】
【００４４】
本発明によれば、無線基地局の設置状況に応じて無線基地局の運用形態を適切に変更することができる。
【発明を実施するための最良の形態】
【００４５】
以下、本発明の実施の形態について図面を用いて説明する。
【００４６】
＜第１の実施の形態＞
［構成］
図１は、第１の実施の形態に係る無線基地局システムの構成図である。
【００４７】
同図を参照して、この無線基地局システムは、無線基地局３０１〜無線基地局３０３と、制御局４０１とを備える。
【００４８】
無線基地局３０１〜無線基地局３０３は縦続接続されており、また、無線基地局３０１〜無線基地局３０３はそれぞれＩ’（ISDN: Integrated Services Digital Network）回線に接続されている。
【００４９】
また、制御局４０１がＩ’回線に接続されており、無線基地局３０１〜無線基地局３０３がそれぞれＩ’回線を介して制御局４０１に接続されている。
【００５０】
無線基地局３０１〜無線基地局３０３は、ＴＤＭＡ／ＴＤＤ方式で図示しない各無線端末局と通信を行なう。
【００５１】
図２は、第１の実施の形態に係る無線基地局システムにおける無線基地局の構成を示す機能ブロック図である。
【００５２】
同図を参照して、この無線基地局は、アンテナ１と、スイッチ２と、受信部３と、復調部４と、中央制御部５と、回線制御部６と、インタフェース部７と、変調部８と、送信部９と、リソース要求検出部１２と、リソース割当部１３と、通信状態測定部１４と、収集部１５と、カバーエリア一致検出部１６と、運用判定部１７と、無線信号処理部１０１とを備える。
【００５３】
無線信号処理部１０１は、通信用スロット処理部１０と、制御用スロット処理部１１とを含む。
【００５４】
［無線基地局の上りの基本動作］
アンテナ１は、無線端末局から受信した無線信号をスイッチ２へ出力する。
【００５５】
スイッチ２は、アンテナ１から受けた無線信号を受信部３へ出力するか、あるいは送信部９から受けた送信信号をアンテナ１へ出力するかを図示しない制御信号に応じて切り替える。
【００５６】
受信部３は、スイッチ２から受けたＲＦ（Radio Frequency）帯の無線信号に含まれる各無線チャネルの信号のうち、図示しない制御信号で指定された無線チャネルの信号を抽出してベースバンド信号に周波数変換する。そして、受信部３は、アナログ信号であるベースバンド信号をデジタル信号である受信データに変換し、復調部４へ出力する。
【００５７】
復調部４は、受信部３から受けた受信データを復調し、復調データとして通信用スロット処理部１０および制御用スロット処理部１１へ出力する。
【００５８】
通信用スロット処理部１０は、復調部４から受けた復調データのうちの使用中の通信用スロットにおける復調データを抽出し、抽出した復調データのうち上り通話チャネルに対応する復調データに種々の信号処理を行ない、中央制御部５へ出力する。ここで、信号処理とは、たとえば誤り訂正復号化処理や、復調データが音声データである場合には音声符号化方式の変換等の処理のことをいう。
【００５９】
中央制御部５は、通信用スロット処理部１０において信号処理された受信データを受けて、各通信用スロットにおける受信データをＩ’回線用のデータフレームに挿入する処理を行ない、データフレームを回線制御部６へ出力する。
【００６０】
回線制御部６は、Ｉ’回線との通信プロトコル処理を行ない、中央制御部５から受けたデータフレームをＩ’回線へ出力する。
【００６１】
［無線基地局の下りの基本動作］
回線制御部６は、Ｉ’回線との通信プロトコル処理を行ない、Ｉ’回線から受けたデータフレームを中央制御部５へ出力する。
【００６２】
中央制御部５は、回線制御部６から受けたデータフレームを通信用スロットで送信するデータに変換する処理を行ない、変換した送信データを通信用スロット処理部１０へ出力する。
【００６３】
通信用スロット処理部１０は、中央制御部５から受けた送信データに種々の信号処理を行ない、下り通話チャネルとして変調部８へ出力する。ここで、信号処理とは、たとえば誤り訂正符号化処理または送信データが音声データである場合には音声符号化方式の変換等の処理のことをいう。また、通信用スロット処理部１０は、下り個別制御チャネルを生成して変調部８へ出力する。
【００６４】
制御用スロット処理部１１は、下り共通制御チャネルを生成して変調部８へ出力する。
【００６５】
変調部８は、通信用スロット処理部１０から受けた下り通話チャネルおよび下り個別制御チャネルならびに制御用スロット処理部１１から受けた下り共通制御チャネルを変調し、変調データとして送信部９へ出力する。
【００６６】
送信部９は、変調部８から受けたデジタル信号である変調データをアナログ信号に変換し、アナログ信号をＲＦ帯に周波数変換した送信信号を増幅してスイッチ２へ出力する。
【００６７】
スイッチ２は、アンテナ１から受けた無線信号を受信部３へ出力するか、あるいは送信部９から受けた送信信号をアンテナ１へ出力するかを図示しない制御信号に応じて切り替える。
【００６８】
アンテナ１は、スイッチ２から受けた送信信号を無線信号として無線端末局へ送信する。
【００６９】
次に、本実施の形態に係る無線基地局システムにおける無線基地局の通信用スロットの割当に関連する基本動作を説明する。ここでは、スレーブ基地局は共同運用を行なうと仮定して説明する。
【００７０】
［無線基地局の通信用スロットの割当に関連する基本動作］
通信用スロット処理部１０は、後述のリソース割当部１３から受けたリソース割当命令に基づいて、復調部４から受けた復調データのうち使用中の通信用スロットにおける復調データを抽出し、リソース要求検出部１２へ出力する。
【００７１】
ここで、リソースとは、無線基地局が無線端末局との通信で使用する有限の資源をいい、通信用スロットはリソースの一種である。
【００７２】
また、通信用スロット処理部１０は、抽出した復調データのうち上り通話チャネルに対応する復調データに種々の信号処理を行ない、中央制御部７へ出力する。ここで、信号処理とは、たとえば誤り訂正復号化処理や、復調データが音声データである場合には音声符号化方式の変換等の処理のことをいう。
【００７３】
制御用スロット処理部１１は、復調部４から受けた復調データのうちの共通制御チャネル用のスロット（以下、制御用スロットという）における復調データである上り共通制御チャネルを抽出し、リソース要求検出部１２へ出力する。
【００７４】
リソース要求検出部１２は、通信用スロット処理部１０から受けた復調データのうち上り個別制御チャネルに対応する復調データから、使用中の通信用スロットの無線端末局による解放要求を検出する。また、リソース要求検出部１２は、制御用スロット処理部１１から受けた上り共通制御チャネルから無線端末局による通信用スロットの割当要求を検出する。そして、リソース要求検出部１２は、通信用スロットの割当要求および解放要求の内容を表わすリソース要求情報をリソース割当部１３へ出力する。
【００７５】
マスター基地局におけるリソース割当部１３は、リソース要求検出部１２から受けたリソース要求情報および他の無線基地局から受信した他局リソース情報から無線基地局システムにおける各無線基地局の通信用スロットの使用状況を把握し、通信用スロットの使用状況に基づいて各無線基地局の通信用スロットのうちのいずれを無線端末局に割り当てるかを決定する。
【００７６】
そして、マスター基地局におけるリソース割当部１３は、自局の通信用スロットを無線端末局に割り当てる場合には、どの通信用スロットを割り当てるかを表わすリソース割当命令を通信用スロット処理部１０および中央制御部５へ出力する。また、リソース割当部１３は、スレーブ基地局の通信用スロットを無線端末局に割り当てる場合には、どのスレーブ基地局のどの通信用スロットを無線端末局に割り当てるかを表わす他局リソース情報を生成し、中央制御部５およびインタフェース部７経由でスレーブ基地局へ送信する。
【００７７】
スレーブ基地局におけるリソース割当部１３は、マスター基地局から中央制御部５およびインタフェース部７経由で受信した他局リソース情報に基づいて、どの通信用スロットを割り当てるかを表わすリソース割当命令を通信用スロット処理部１０へ出力する。
【００７８】
また、スレーブ基地局におけるリソース割当部１３は、リソース要求検出部１２から受けたリソース要求情報を他局リソース情報として中央制御部５およびインタフェース部７経由でマスター基地局へ出力する。ここで、共同運用を行なうスレーブ基地局は４Ｔのフレーム構成であり、共通制御チャネルの送受信を行なわないため、リソース要求情報はスレーブ基地局の通信用スロットの解放要求のみを表わす。
【００７９】
［制御局の構成］
図３は、第１の実施の形態に係る無線基地局システムにおける制御局の構成を示す機能ブロック図である。
【００８０】
同図を参照して、制御局４０１は、回線制御部２１と、中央制御部２２とを備える。
【００８１】
次に、本実施の形態に係る無線基地局システムにおける無線基地局および制御局が運用判定を行なう際の動作について図面を用いて説明する。
【００８２】
本実施の形態に係る無線基地局システムでは、システム納入業者またはシステム管理者等が各無線基地局に設定を行なうことにより各無線基地局のうちの１の無線基地局がマスター基地局として運用され、他の無線基地局がスレーブ基地局として運用される。
【００８３】
また、本実施の形態に係る無線基地局システムでは、マスター基地局が各スレーブ基地局の運用形態を決定する。すなわち、スレーブ基地局が共同運用を行なうかまたはスレーブ基地局が共通制御チャネルを使用して無線端末局と通信する単独運用を行なうかのいずれかを選択する運用判定をマスター基地局が行なう。
【００８４】
［動作］
図４は、第１の実施の形態に係る無線基地局システムの動作手順を定めたフローチャートである。
【００８５】
制御局４０１における回線制御部２１と、中央制御部２２と、無線基地局３０１〜無線基地局３０３における中央制御部５と、回線制御部６と、インタフェース部７と、リソース要求検出部１２と、リソース割当部１３と、通信状態測定部１４と、収集部１５と、カバーエリア一致検出部１６と、運用判定部１７と、無線信号処理部１０１とは、フローチャートの各ステップを備えるプログラムを図示しないメモリから読み出して実行する。このプログラムは、外部からインストールすることができる。
【００８６】
制御局４０１における中央制御部２２は、運用判定開始命令を回線制御部２１へ出力する（Ｓ１）。
【００８７】
なお、運用判定開始命令は、無線基地局システムに新たな無線基地局が増設される毎に出力してもよいし、１日に１回等、所定の期間ごとに出力してもよい。
【００８８】
回線制御部２１は、Ｉ’回線との通信プロトコル処理を行ない、中央制御部２２から受けた運用判定開始命令をＩ’回線を介してマスター基地局へ出力する（Ｓ１）。
【００８９】
マスター基地局における回線制御部６は、Ｉ’回線との通信プロトコル処理を行ない、制御局４０１から受信した運用判定開始命令を中央制御部５へ出力する。
【００９０】
中央制御部５は、回線制御部６から運用判定開始命令を受けて、リソース割当部１３から受けたリソース割当命令および各スレーブ基地局からインタフェース部７経由で受信した他局リソース情報から、マスター基地局が通信中の無線端末局であって、その無線端末局が使用している通信用スロットと時間的に対応する通信用スロットが少なくとも１つのスレーブ基地局において未使用である無線端末局を検出する（Ｓ１１）。また、中央制御部５は、少なくとも１つのスレーブ基地局が通信中の無線端末局であって、その無線端末局が使用している通信用スロットと時間的に対応する通信用スロットがマスター基地局において未使用である無線端末局を検出する（Ｓ１１）。
【００９１】
これは、マスター基地局およびスレーブ基地局のいずれか一方と通信中の無線端末局が使用する通信用スロットに時間的に対応する通信用スロットが、その無線端末局と通信していないマスター基地局またはスレーブ基地局で使用中の場合には、その無線端末局と通信していないマスター基地局またはスレーブ基地局はその無線端末局からの無線信号を受信できないからである。
【００９２】
また、マスター基地局およびスレーブ基地局のいずれか一方が通信中の無線端末局を前述の中央制御部５の検出対象とする、すなわち、後述する受信レベル測定の対象とすることで、通信中でない無線端末局と新たに通信を行なうことによる無線基地局および無線端末局の制御の複雑化、通信用スロットの使用効率の低下および消費電力の増加を防ぐことができる。
【００９３】
中央制御部５は、そのような無線端末局を検出できない場合には、処理を終了する（Ｓ１１でＮＯ）。一方、中央制御部５は、そのような無線端末局を検出できた場合には（Ｓ１１でＹＥＳ）、検出した無線端末局からの無線信号を受信して受信レベルを測定する指示を受信レベル測定命令としてインタフェース部７へ出力する（Ｓ１２）。
【００９４】
インタフェース部７は、中央制御部５から受けた受信レベル測定命令を各スレーブ基地局へ送信する（Ｓ１２）。
【００９５】
スレーブ基地局における中央制御部５は、マスター基地局からの受信レベル測定命令をインタフェース部７経由で受信して、通信状態測定部１４へ出力する（Ｓ３１）。
【００９６】
また、マスター基地局における中央制御部５は、受信レベル測定命令をマスター基地局における通信状態測定部１４へ出力する（Ｓ１３）。
【００９７】
マスター基地局およびスレーブ基地局における通信状態測定部１４は、受信レベル測定命令が表わす無線端末局からの無線信号を受信して受信レベルを測定する（Ｓ１３およびＳ３１）。
【００９８】
スレーブ基地局における通信状態測定部１４は、測定した受信レベルを収集部１５へ出力する（Ｓ３２）。
【００９９】
収集部１５は、通信状態測定部１４から受けた受信レベルを中央制御部５へ出力する（Ｓ３２）。
【０１００】
中央制御部５は、収集部１５から受けた受信レベルをインタフェース部７へ出力する（Ｓ３２）。
【０１０１】
インタフェース部７は、中央制御部５から受けた受信レベルをマスター基地局へ送信する（Ｓ３２）。
【０１０２】
マスター基地局におけるインタフェース部７は、各スレーブ基地局から受信した受信レベルを中央制御部５へ出力する（Ｓ１４）。
【０１０３】
中央制御部５は、インタフェース部７から受けた受信レベルを収集部１５へ出力する（Ｓ１４）。
【０１０４】
収集部１５は、通信状態測定部１４から受けた自局の受信レベルおよび中央制御部５から受けた各スレーブ基地局の受信レベルを収集し、収集した各無線基地局の受信レベルをカバーエリア一致検出部１６へ出力する（Ｓ１４）。
【０１０５】
カバーエリア一致検出部１６は、収集部１５から各無線基地局の受信レベルを受けて、同一の無線端末局について、マスター基地局において測定した受信レベルと、各スレーブ基地局において測定した各受信レベルとの差をスレーブ基地局ごとに算出する（Ｓ１５）。また、カバーエリア一致検出部１６は、最新の一定期間分の受信レベル差を保存しており、保存していた受信レベル差および新たに算出した受信レベル差の平均値を算出する（Ｓ１６）。また、カバーエリア一致検出部１６は、１つのスレーブ基地局について測定対象の無線端末局が複数ある場合には、複数の無線端末局の受信レベル差を算出し、算出した複数の無線端末局の受信レベル差および保存していた最新の一定期間分の受信レベル差の平均値を算出する（Ｓ１６）。
【０１０６】
このように時間的に複数の受信レベル差および複数の無線端末局の受信レベル差の平均値を算出するため、自動車等の移動障害物の影響で無線信号の受信レベルが変動し、カバーエリア一致検出部１６が誤った判断を行なうことを防ぐことができる。
【０１０７】
カバーエリア一致検出部１６は、算出した受信レベル差の平均値が所定の閾値未満（Ｓ１７でＹＥＳ）であるスレーブ基地局のカバーエリアは、マスター基地局のカバーエリアと一致していると判断する（Ｓ１８）。一方、カバーエリア一致検出部１６は、算出した受信レベル差の平均値が所定の閾値以上（Ｓ１７でＮＯ）であるスレーブ基地局のカバーエリアは、マスター基地局のカバーエリアと不一致であると判断する（Ｓ１９）。そして、カバーエリア一致検出部１６は、各スレーブ基地局のカバーエリアがマスター基地局のカバーエリアと一致しているか否かを表わすカバーエリア情報を運用判定部１７へ出力する（Ｓ１８およびＳ１９）。
【０１０８】
運用判定部１７は、カバーエリア情報をカバーエリア一致検出部１６から受けて、マスター基地局のカバーエリアと一致しているスレーブ基地局に対しては共同運用を選択する（Ｓ２０）。一方、運用判定部１７は、マスター基地局のカバーエリアと不一致であるスレーブ基地局に対しては単独運用を選択する（Ｓ２１）。そして、運用判定部１７は、各スレーブ基地局が単独運用を行なうかまたは共同運用を行なうかを表わす運用情報を中央制御部５へ出力する（Ｓ２２）。
【０１０９】
中央制御部５は、運用判定部１７から受けた運用情報を回線制御部６へ出力する（Ｓ２２）。
【０１１０】
回線制御部６は、Ｉ’回線との通信プロトコル処理を行ない、中央制御部５から受けた運用情報をＩ’回線を介して制御局４０１へ出力する（Ｓ２２）。
【０１１１】
制御局４０１における回線制御部２１は、Ｉ’回線との通信プロトコル処理を行ない、マスター基地局から受信した運用情報を中央制御部２２へ出力する。
【０１１２】
中央制御部２２は、回線制御部２１から運用情報を受けて、運用情報の表わす各無線基地局の運用形態が現在の運用形態と同じである場合には、処理を終了する（Ｓ２でＮＯ）。
【０１１３】
一方、中央制御部２２は、回線制御部２１から運用情報を受けて、運用情報の表わす各無線基地局の運用形態が現在の運用形態と異なる場合には（Ｓ２でＹＥＳ）、各スレーブ基地局が単独運用を行なうかまたは共同運用を行なうかを表わす運用命令を回線制御部２１へ出力する（Ｓ３）。
【０１１４】
回線制御部２１は、Ｉ’回線との通信プロトコル処理を行ない、中央制御部２２から受けた運用命令を各無線基地局に送信する（Ｓ３）。
【０１１５】
各無線基地局における回線制御部６は、Ｉ’回線との通信プロトコル処理を行ない、制御局４０１から受信した運用命令を中央制御部５へ出力する（Ｓ２３およびＳ３３）。
【０１１６】
スレーブ基地局における中央制御部５は、回線制御部６から運用命令を受けて、１Ｃ３Ｔのフレーム構成または４Ｔのフレーム構成で無線端末局との通信を行なう命令を、図示しない制御信号によって通信用スロット処理部１０および制御用スロット処理部１１へ出力する（Ｓ３３）。
【０１１７】
スレーブ基地局における通信用スロット処理部１０および制御用スロット処理部１１は、中央制御部５から受けた図示しない制御信号が表わすフレーム構成で無線端末局との通信を行なう（Ｓ３３）。
【０１１８】
マスター基地局における中央制御部５は、回線制御部６から運用命令を受けて、共同運用を行なうスレーブ基地局を認識する。そして、中央制御部５は、共同運用を行なうスレーブ基地局の通信用スロットの割り当てをマスター基地局が使用する共通制御チャネルに基づいて行なう命令を、図示しない制御信号によってリソース割当部１３へ出力する（Ｓ２３）。
【０１１９】
リソース割当部１３は、中央制御部５から受けた図示しない制御信号を受けて、共同運用を行なうスレーブ基地局を認識し、共同運用を行なうスレーブ基地局に対して通信用スロットの割り当てを行なう（Ｓ２３）。
【０１２０】
なお、マスター基地局が１Ｃ３Ｔのフレーム構成で無線端末局との通信を行なうのと同様に、単独運用を行なうスレーブ基地局は１Ｃ３Ｔのフレーム構成で無線端末局との通信を行なう。
【０１２１】
ところで、特許文献１記載の無線基地局システムでは、接続用ケーブルのコネクタ部に異常がなければ無線基地局の運用形態が変更されない構成であるため、無線基地局の設置状況に応じて無線基地局の運用形態を適切に変更することができないという問題点があった。
【０１２２】
しかしながら、本実施の形態に係る無線基地局システムでは、カバーエリア一致検出部１６が、共通制御チャネルを使用するマスター基地局のカバーエリアおよび共通制御チャネルを使用しないスレーブ基地局のカバーエリアが一致するか否かを検出する。そして、運用判定部１７が、マスター基地局のカバーエリアと一致するカバーエリアを有するスレーブ基地局は単独運用を行なうことを決定し、マスター基地局のカバーエリアと不一致のカバーエリアを有するスレーブ基地局は共同運用を行なうことを決定する。したがって、本実施の形態に係る無線基地局システムでは、無線基地局の設置状況に応じて無線基地局の運用形態を適切に変更することができる。
【０１２３】
次に、本発明の他の実施の形態について図面を用いて説明する。
【０１２４】
＜第２の実施の形態＞
［構成］
図５は、第２の実施の形態に係る無線基地局システムの構成図である。
【０１２５】
同図を参照して、この無線基地局システムは、図１に示す第１の実施の形態に係る無線基地局システムに対して、制御局４０１を備えない構成である。
【０１２６】
本実施の形態に係る無線基地局システムにおける各無線基地局の構成は、図２に示す第１の実施の形態に係る無線基地局システムにおける無線基地局の構成と同様である。
【０１２７】
次に、本実施の形態に係る無線基地局システムにおける無線基地局が運用判定を行なう際の動作について図面を用いて説明する。
【０１２８】
［動作］
図６は、第２の実施の形態に係る無線基地局システムの動作手順を定めたフローチャートである。ステップＳ１０２〜ステップＳ１１１、ステップＳ１２１およびステップＳ１２２は、図４に示すフローチャートにおけるステップＳ１２〜ステップＳ２１、ステップＳ３１およびステップＳ３２と同様である。以下では、図４に示すフローチャートと異なるステップについてのみ説明する。
【０１２９】
無線基地局３０１〜無線基地局３０３における中央制御部５と、回線制御部６と、インタフェース部７と、リソース要求検出部１２と、リソース割当部１３と、通信状態測定部１４と、収集部１５と、カバーエリア一致検出部１６と、運用判定部１７と、無線信号処理部１０１とは、フローチャートの各ステップを備えるプログラムを図示しないメモリから読み出して実行する。このプログラムは、外部からインストールすることができる。
【０１３０】
まず、マスター基地局における中央制御部５は、第１の実施の形態に係る無線基地局システムにおける制御局４０１と同様に、無線基地局システムに新たな無線基地局が増設される毎に、または所定の期間毎に運用判定を開始する（Ｓ１０１）。
【０１３１】
すなわち、中央制御部５は、リソース割当部１３から受けたリソース割当命令および各スレーブ基地局からインタフェース部７経由で受信した他局リソース情報から、無線基地局システムにおける各無線基地局のうちの１の無線基地局が通信中の無線端末局であって、その無線端末局が使用している通信用スロットと時間的に対応する他の無線基地局の通信用スロットが未使用である無線端末局を検出する（Ｓ１０１）。
【０１３２】
マスター基地局における中央制御部５は、運用判定部１７から運用情報を受けて、運用情報の表わす各無線基地局の運用形態が現在の運用形態と同じである場合には、処理を終了する（Ｓ１１２でＮＯ）。
【０１３３】
一方、中央制御部５は、運用判定部１７から運用情報を受けて、運用情報の表わす各無線基地局の運用形態が現在の運用形態と異なる場合には（Ｓ１１２でＹＥＳ）、各スレーブ基地局が単独運用を行なうかまたは共同運用を行なうかを表わす運用命令をインタフェース部７へ出力する（Ｓ１１３）。
【０１３４】
インタフェース部７は、中央制御部５から受けた運用命令を各スレーブ基地局へ送信する（Ｓ１１３）。
【０１３５】
各スレーブ基地局におけるインタフェース部７は、マスター基地局から受信した運用命令を中央制御部５へ出力する（Ｓ１２３）。
【０１３６】
スレーブ基地局における中央制御部５は、インタフェース部７から運用命令を受けて、１Ｃ３Ｔのフレーム構成または４Ｔのフレーム構成で無線端末局との通信を行なう命令を、図示しない制御信号によって通信用スロット処理部１０および制御用スロット処理部１１へ出力する（Ｓ１２３）。
【０１３７】
スレーブ基地局における通信用スロット処理部１０および制御用スロット処理部１１は、中央制御部５から受けた図示しない制御信号が表わすフレーム構成で無線端末局との通信を行なう（Ｓ１２３）。
【０１３８】
また、マスター基地局における中央制御部５は、運用判定部１７から運用命令を受けて、共同運用を行なうスレーブ基地局を認識する。そして、中央制御部５は、共同運用を行なうスレーブ基地局の通信用スロットの割り当てをマスター基地局が使用する共通制御チャネルに基づいて行なう命令を、図示しない制御信号によってリソース割当部１３へ出力する（Ｓ１１４）。
【０１３９】
リソース割当部１３は、中央制御部５から受けた図示しない制御信号を受けて、共同運用を行なうスレーブ基地局を認識し、共同運用を行なうスレーブ基地局に対して通信用スロットの割り当てを行なう（Ｓ１１４）。
【０１４０】
その他の動作は第１の実施の形態に係る無線基地局システムと同様である。
【０１４１】
以上より、本実施の形態に係る無線基地局システムでは、マスター基地局が自律的に運用判定を開始するために制御局が不要となり、無線基地局システムの構成の簡易化を図ることができる。
【０１４２】
また、本実施の形態に係る無線基地局システムでは、第１の実施の形態に係る無線基地局システムと同様に、無線基地局の設置状況に応じて無線基地局の運用形態を適切に変更することができる。
【０１４３】
次に、本発明の他の実施の形態について図面を用いて説明する。
【０１４４】
＜第３の実施の形態＞
［構成および基本動作］
第３の実施の形態に係る無線基地局システムは、図１に示す第１の実施の形態に係る無線基地局システムの構成と同様である。
【０１４５】
図７は、第３の実施の形態に係る無線基地局システムにおける無線基地局の構成を示す機能ブロック図である。
【０１４６】
同図を参照して、この無線基地局は、図２に示す第１の実施の形態に係る無線基地局に対して、受信部３の代わりに受信部５０を備える。
【０１４７】
スイッチ２は、アンテナ１から受けた無線信号を受信部５０へ出力するか、あるいは送信部９から受けた送信信号をアンテナ１へ出力するかを図示しない制御信号に応じて切り替える。
【０１４８】
受信部５０は、スイッチ２から受けたＲＦ（Radio Frequency）帯の無線信号に含まれる各無線チャネルの信号のうち、図示しない制御信号で指定された無線チャネルの信号を抽出してベースバンド信号に周波数変換する。そして、受信部５０は、アナログ信号であるベースバンド信号をデジタル信号である受信データに変換し、復調部４へ出力する。
【０１４９】
受信部５０に含まれる減衰部３０は、スイッチ２から受けた、他の無線基地局から受信した無線信号を減衰させて通信状態測定部１４へ出力し、また、無線端末局から受信した無線信号はそのまま通信状態測定部１４へ出力する。
【０１５０】
図８は、減衰部３０の構成を示す図である。
【０１５１】
同図を参照して、減衰部３０は、減衰器３１と、スイッチ３２と、スイッチ３３とを含む。スイッチ３２は、端子ｔ１〜端子ｔ３を含む。スイッチ３３は、端子ｔ４〜端子ｔ６を含む。
【０１５２】
中央制御部５は、この無線基地局が無線端末局から無線信号を受信するスロットにおいてはスイッチ３２の端子ｔ１と端子ｔ２との間を導通させ、かつ、スイッチ３３の端子ｔ４と端子ｔ５との間を導通させる制御を行なう。この場合、スイッチ２から受けた無線信号はスイッチ３２およびスイッチ３３を介して通信状態測定部１４へ出力される。
【０１５３】
一方、中央制御部５は、この無線基地局が他の無線基地局から無線信号を受信するスロットにおいてはスイッチ３２の端子ｔ１と端子ｔ３との間を導通させ、かつ、スイッチ３３の端子ｔ５と端子ｔ６との間を導通させる制御を行なう。この場合、スイッチ２から受けた無線信号はスイッチ３２を介して減衰器３１へ出力されて減衰器３１において減衰され、減衰された無線信号がスイッチ３３を介して通信状態測定部１４へ出力される。
。
【０１５４】
その他の構成および基本動作は第１の実施の形態に係る無線基地局と同様であるため、ここでは説明を繰り返さない。
【０１５５】
次に、本実施の形態に係る無線基地局システムにおける無線基地局が運用判定を行なう際の動作について図面を用いて説明する。
【０１５６】
［動作１］
図９は、第３の実施の形態に係る無線基地局システムの動作手順を定めたフローチャートである。ステップＳ２０２〜ステップＳ２０３、ステップＳ２２０〜ステップＳ２２３およびステップＳ２３３は、図４に示すフローチャートにおけるステップＳ２〜ステップＳ３、ステップＳ２０〜ステップＳ２３およびステップＳ３３と同様である。以下では、図４に示すフローチャートと異なるステップについてのみ説明する。
【０１５７】
無線基地局３０１〜無線基地局３０３における中央制御部５と、回線制御部６と、インタフェース部７と、リソース要求検出部１２と、リソース割当部１３と、通信状態測定部１４と、収集部１５と、カバーエリア一致検出部１６と、運用判定部１７と、無線信号処理部１０１とは、フローチャートの各ステップを備えるプログラムを図示しないメモリから読み出して実行する。このプログラムは、外部からインストールすることができる。
【０１５８】
制御局４０１における中央制御部２２は、運用判定の対象となるスレーブ基地局（以下、判定対象スレーブ基地局という）を特定し、特定された判定対象スレーブ基地局の運用判定を開始する指示を運用判定開始命令として回線制御部２１へ出力する（Ｓ２０１）。
【０１５９】
なお、運用判定開始命令は、無線基地局システムに新たな無線基地局が増設される毎に出力してもよいし、１日に１回等、所定の期間ごとに出力してもよい。
【０１６０】
回線制御部２１は、Ｉ’回線との通信プロトコル処理を行ない、中央制御部２２から受けた運用判定開始命令をＩ’回線を介してマスター基地局へ出力する（Ｓ２０１）。
【０１６１】
マスター基地局における回線制御部６は、Ｉ’回線との通信プロトコル処理を行ない、制御局４０１から受信した運用判定開始命令を中央制御部５へ出力する。
【０１６２】
マスター基地局における中央制御部５は、回線制御部６から運用判定開始命令を受けて、リソース割当部１３から受けたリソース割当命令および各スレーブ基地局からインタフェース部７経由で受信した他局リソース情報から、判定対象スレーブ基地局で無線端末局との通信に使用されている通信用スロットのうちの少なくとも１つに対応する通信用スロットがマスター基地局において未使用であるか否かを検出する（Ｓ２１１）。
【０１６３】
中央制御部５は、判定対象スレーブ基地局で無線端末局との通信に使用されている通信用スロットに対応する通信用スロットをマスター基地局がすべて使用している場合には、処理を終了する（Ｓ２１１でＮＯ）。一方、中央制御部５は、判定対象スレーブ基地局で無線端末局との通信に使用されている通信用スロットのうちの少なくとも１つに対応する通信用スロットがマスター基地局において未使用である場合には（Ｓ２１１でＹＥＳ）、未使用である通信用スロットのうちの１つ（以下、判定スロットという）において判定対象スレーブ基地局が無線端末局へ送信する無線信号を受信して受信レベルを測定する指示を受信レベル測定命令としてマスター基地局における通信状態測定部１４へ出力する（Ｓ２１３）。
【０１６４】
なお、未使用である通信用スロットが複数存在する場合には、複数の通信用スロットにおいて判定対象スレーブ基地局が無線端末局へ送信する無線信号をマスター基地局が受信して受信レベルを測定する構成であってもよい。このような構成により、所定期間に受信レベルの測定値を多く得ることができるため、運用判定をより正確に行ない、また、運用判定に要する時間を短縮することができる。
【０１６５】
中央制御部５は、減衰部３０に判定スロットにおいて判定対象スレーブ基地局からの無線信号を減衰させる制御を行なう。すなわち、中央制御部５は、判定スロットにおいてスイッチ３２の端子ｔ１と端子ｔ３との間を導通させ、かつ、スイッチ３３の端子ｔ５と端子ｔ６との間を導通させる制御を行なう（Ｓ２１２）。
【０１６６】
マスター基地局における通信状態測定部１４は、受信レベル測定命令が表わすスレーブ基地局が、無線端末局へ送信する無線信号の受信レベルを測定する（Ｓ２１３）。
【０１６７】
収集部１５は、通信状態測定部１４から受けた受信レベルをカバーエリア一致検出部１６へ出力する（Ｓ２１４）。
【０１６８】
カバーエリア一致検出部１６は、最新の一定期間分の受信レベルを保存しており、保存していた受信レベルおよび新たに算出した受信レベルの平均値を算出する（Ｓ２１６）。
【０１６９】
このように時間的に複数の受信レベルの平均値を算出するため、自動車等の移動障害物の影響で無線信号の受信レベルが変動し、カバーエリア一致検出部１６が誤った判断を行なうことを防ぐことができる。
【０１７０】
カバーエリア一致検出部１６は、算出した受信レベルの平均値が所定の閾値未満（Ｓ２１７でＹＥＳ）である判定対象スレーブ基地局のカバーエリアは、マスター基地局のカバーエリアと一致していると判断する（Ｓ２１８）。一方、カバーエリア一致検出部１６は、算出した受信レベルの平均値が所定の閾値以上（Ｓ２１７でＮＯ）である判定対象スレーブ基地局のカバーエリアは、マスター基地局のカバーエリアと不一致であると判断する（Ｓ２１９）。そして、カバーエリア一致検出部１６は、判定対象スレーブ基地局のカバーエリアがマスター基地局のカバーエリアと一致しているか否かを表わすカバーエリア情報を運用判定部１７へ出力する（Ｓ２１８およびＳ２１９）。
【０１７１】
このように、判定対象スレーブ基地局が無線端末局へ送信する無線信号の受信レベルをマスター基地局における通信状態測定部１４が測定し、測定した受信レベルに基づいてマスター基地局および判定対象スレーブ基地局のカバーエリアが一致しているか否かをカバーエリア一致検出部１６が検出する構成により、マスター基地局のみが運用判定処理を行なえばよく、判定対象スレーブ基地局は運用判定のための特別な動作を行なう必要がない。また、マスター基地局および判定対象スレーブ基地局間で運用判定のための特別な制御信号を送受信する必要がない。したがって、無線基地局システムにおける運用判定処理の簡易化を図ることができる。
【０１７２】
［動作２］
図１０は、第３の実施の形態に係る無線基地局システムの動作手順の変形例を定めたフローチャートである。ステップＳ３０２〜ステップＳ３０３、ステップＳ３２０〜ステップＳ３２３およびステップＳ３３４は、図４に示すフローチャートにおけるステップＳ２〜ステップＳ３、ステップＳ２０〜ステップＳ２３およびステップＳ３３と同様である。また、ステップ３０１およびステップＳ３１６〜ステップＳ３１９は、図９に示すフローチャートにおけるステップＳ２０１およびステップＳ２１６〜Ｓ２１９と同様である。以下では、図４および図９に示すフローチャートと異なるステップについてのみ説明する。
【０１７３】
無線基地局３０１〜無線基地局３０３における中央制御部５と、回線制御部６と、インタフェース部７と、リソース要求検出部１２と、リソース割当部１３と、通信状態測定部１４と、収集部１５と、カバーエリア一致検出部１６と、運用判定部１７と、無線信号処理部１０１とは、フローチャートの各ステップを備えるプログラムを図示しないメモリから読み出して実行する。このプログラムは、外部からインストールすることができる。
【０１７４】
マスター基地局における回線制御部６は、Ｉ’回線との通信プロトコル処理を行ない、制御局４０１から受信した運用判定開始命令を中央制御部５へ出力する。
【０１７５】
マスター基地局における中央制御部５は、回線制御部６から運用判定開始命令を受けて、リソース割当部１３から受けたリソース割当命令および各スレーブ基地局からインタフェース部７経由で受信した他局リソース情報から、マスター基地局で無線端末局との通信に使用されている通信用スロットのうちの少なくとも１つに対応する通信用スロットが判定対象スレーブ基地局において未使用であるか否かを検出する（Ｓ３１１）。
【０１７６】
中央制御部５は、マスター基地局で無線端末局との通信に使用されている通信用スロットに対応する通信用スロットを判定対象スレーブ基地局がすべて使用している場合には、処理を終了する（Ｓ３１１でＮＯ）。一方、中央制御部５は、マスター基地局で無線端末局との通信に使用されている通信用スロットのうちの少なくとも１つに対応する通信用スロットが判定対象スレーブ基地局において未使用である場合には（Ｓ３１１でＹＥＳ）、未使用である通信用スロットのうちの１つ（以下、判定スロットという）においてマスター基地局が無線端末局へ送信する無線信号を受信して受信レベルを測定する指示を受信レベル測定命令としてインタフェース部７へ出力する（Ｓ３１２）。
【０１７７】
なお、未使用である通信用スロットが複数存在する場合には、複数の通信用スロットにおいてマスター基地局が無線端末局へ送信する無線信号を判定対象スレーブ基地局が受信して受信レベルを測定する構成であってもよい。このような構成により、所定期間に受信レベルの測定値を多く得ることができるため、運用判定をより正確に行ない、また、運用判定に要する時間を短縮することができる。
【０１７８】
インタフェース部７は、中央制御部５から受けた受信レベル測定命令を判定対象スレーブ基地局へ送信する（Ｓ３１２）。
【０１７９】
判定対象スレーブ基地局における中央制御部５は、マスター基地局からの受信レベル測定命令をインタフェース部７経由で受信して、通信状態測定部１４へ出力する。
【０１８０】
中央制御部５は、減衰部３０に判定スロットにおいてマスター基地局からの無線信号を減衰させる制御を行なう。すなわち、中央制御部５は、判定スロットにおいてスイッチ３２の端子ｔ１と端子ｔ３との間を導通させ、かつ、スイッチ３３の端子ｔ５と端子ｔ６との間を導通させる制御を行なう（Ｓ３３１）。
【０１８１】
判定対象スレーブ基地局における通信状態測定部１４は、マスター基地局が無線端末局へ送信する無線信号の受信レベルを測定する（Ｓ３３２）。
【０１８２】
判定対象スレーブ基地局における通信状態測定部１４は、測定した受信レベルを収集部１５へ出力する（Ｓ３３３）。
【０１８３】
収集部１５は、通信状態測定部１４から受けた受信レベルを中央制御部５へ出力する（Ｓ３３３）。
【０１８４】
中央制御部５は、収集部１５から受けた受信レベルをインタフェース部７へ出力する（Ｓ３３３）。
【０１８５】
インタフェース部７は、中央制御部５から受けた受信レベルをマスター基地局へ送信する（Ｓ３３３）。
【０１８６】
マスター基地局におけるインタフェース部７は、判定対象スレーブ基地局から受信した受信レベルを中央制御部５へ出力する（Ｓ３３４）。
【０１８７】
収集部１５は、中央制御部５から受けた判定対象スレーブ基地局の受信レベルをカバーエリア一致検出部１６へ出力する（Ｓ３１４）。
【０１８８】
このように、マスター基地局が無線端末局へ送信する無線信号の受信レベルを判定対象スレーブ基地局における通信状態測定部１４が測定し、測定した受信レベルに基づいてマスター基地局および判定対象スレーブ基地局のカバーエリアが一致しているか否かをカバーエリア一致検出部１６が検出する構成により、判定対象スレーブ基地局が使用する通信用スロットがマスター基地局が使用する通信用スロットよりも未使用であることが多い場合に運用判定を確実に行なうことができる。また、複数の通信用スロットにおいてマスター基地局が無線端末局へ送信する無線信号を判定対象スレーブ基地局が受信して受信レベルを測定する構成とすることで、運用判定をより正確に行ない、また、運用判定に要する時間を短縮することができる。
【０１８９】
以上より、本実施の形態に係る無線基地局システムでは、第１の実施の形態に係る無線基地局システムと同様に、無線基地局の設置状況に応じて無線基地局の運用形態を適切に変更することができる。
【０１９０】
また、本実施の形態に係る無線基地局システムでは、スレーブ基地局またはマスター基地局における通信状態測定部１４が、マスター基地局またはスレーブ基地局が無線端末局へ送信する無線信号の受信レベルを測定する。このような構成により、マスター基地局またはスレーブ基地局が無線端末局との通信を目的としない運用判定用の無線信号を送信することによる無線基地局の制御の複雑化、通信用スロットの使用効率の低下および消費電力の増加を防ぐことができる。
【０１９１】
また、本実施の形態に係る無線基地局システムでは、中央制御部５が、減衰部３０に判定スロットにおいてマスター基地局またはスレーブ基地局からの無線信号を減衰させる制御を行なう。ここで、一般に、無線基地局から送信される無線信号は無線端末局から送信される無線信号より電力が大きく、また、マスター基地局およびスレーブ基地局は近い距離に配置される場合が多いため、無線基地局が他の無線基地局から受信する無線信号の受信レベルは非常に大きくなる。そうすると、無線基地局が他の無線基地局から受信する無線信号の受信レベルが無線基地局の測定可能範囲を超える場合がある。したがって、中央制御部５が減衰部３０にこのような制御を行なうことで、通信状態測定部１４が、減衰後の無線信号の受信レベルと、減衰器３１における減衰量とを用いて判定対象スレーブ基地局から受信した無線信号の受信レベルを正確に測定することができる。
【０１９２】
［変形例］
本発明は、上記実施の形態に限定されるものではなく、たとえば以下の変形例も含まれる。
【０１９３】
（１）  カバーエリアの一致または不一致の判断基準となる通信状態
本発明の第１の実施の形態および第２の実施の形態に係る無線基地局システムでは、カバーエリア一致検出部１３が、マスター基地局において測定した無線端末局からの無線信号の受信レベルと、各スレーブ基地局において測定した無線端末局からの無線信号の受信レベルとの差に基づいて、マスター基地局のカバーエリアおよびスレーブ基地局のカバーエリアが一致しているか否かを判断する構成としたが、これに限定するものではない。
【０１９４】
たとえば、無線端末局からの無線信号の受信レベルの代わりに、無線信号の伝搬遅延をカバーエリアの一致または不一致の判断基準とすることができる。
【０１９５】
すなわち、マスター基地局およびスレーブ基地局における通信状態測定部１４が、無線端末局からの無線信号の伝搬遅延を測定する。ここで、通信状態測定部１４は、各無線基地局で共通のタイミングを認識し、このタイミングと、無線端末局から特定の信号を受信するタイミングとの時間差を測定するなどして伝搬遅延を得ることができる。
【０１９６】
カバーエリア一致検出部１６は、収集部１５から各無線基地局の伝搬遅延を受けて、同一の無線端末局について、マスター基地局において測定した伝搬遅延と、各スレーブ基地局において測定した各伝搬遅延との差をスレーブ基地局ごとに算出する。また、カバーエリア一致検出部１６は、最新の一定期間分の伝搬遅延差を保存しており、保存していた伝搬遅延差および新たに算出した伝搬遅延差の平均値を算出する。また、カバーエリア一致検出部１６は、１つのスレーブ基地局について測定対象の無線端末局が複数ある場合には、複数の無線端末局の受信レベル差を算出し、算出した複数の無線端末の受信レベル差および保存していた最新の一定期間分の受信レベル差の平均値を算出する。
【０１９７】
カバーエリア一致検出部１６は、算出した伝搬遅延差の平均値が所定の閾値未満であるスレーブ基地局のカバーエリアは、マスター基地局のカバーエリアと一致していると判断する。一方、カバーエリア一致検出部１６は、算出した伝搬遅延差の平均値が所定の閾値以上であるスレーブ基地局のカバーエリアは、マスター基地局のカバーエリアと不一致であると判断する。
【０１９８】
なお、本発明の第３の実施の形態に係る無線基地局システムでも同様に、無線基地局からの無線信号の受信レベルの代わりに、無線信号の伝搬遅延をカバーエリアの一致または不一致の判断基準とすることができる。
【０１９９】
（２）  カバーエリア一致の範囲
本発明の実施の形態に係る無線基地局システムでは、運用判定部１７はマスター基地局のカバーエリアおよびスレーブ基地局のカバーエリアが一致しているか否かに基づいて、スレーブ基地局が共同運用を行なうかまたは単独運用を行なうかを選択する構成としたが、カバーエリアの一致は、必ずしも厳密な一致に限定するものではない。
【０２００】
通信用スロットの割り当てが正常に行なわれず、無線基地局のカバーエリアが実質的に狭くなる等の不具合が生じない場合には、カバーエリアが厳密に一致していなくても、カバーエリアが一致しているとみなす構成とすることができる。
【０２０１】
すなわち、本発明の実施の形態に係る無線基地局システムにおけるカバーエリア一致検出部１６が、算出した受信レベル差の平均値が所定の閾値未満であるスレーブ基地局のカバーエリアは、マスター基地局のカバーエリアと一致していると判断する構成としたように、受信レベル差が所定の閾値の範囲内であれば、カバーエリアが一致しているとみなす構成とすることができる。また、通信用スロットの割り当てが正常に行なわれず、無線基地局のカバーエリアが実質的に狭くなる等の不具合が生じない最大の受信レベル差を実際に測定し、この測定結果に基づいて受信レベル差の所定の閾値を決定することができる。
【０２０２】
（３）  無線基地局の配置形態
本発明の実施の形態に係る無線基地局システムは、各無線基地局がそれぞれ別筐体となる構成に限定されず、１つの筐体に複数の無線基地局が配置される、すなわち、１つの筐体にアンテナを含む通信機器が複数配置される構成であってもよい。
【０２０３】
この場合、１つの筐体内の各通信機器のうちのいずれか１つが本発明の実施の形態に係る無線基地局システムにおけるマスター基地局として動作し、他の通信機器がスレーブ基地局として動作する構成となる。
【０２０４】
（４）  各無線基地局の構成
本発明の実施の形態に係る無線基地局システムでは、すべての無線基地局が収集部１５、カバーエリア一致検出部１６および運用判定部１７を備え、システム納入業者またはシステム管理者等が各無線基地局に設定を行なうことにより各無線基地局のうちの１の無線基地局がマスター基地局として運用され、各スレーブ基地局の運用形態を決定する運用判定を行なう構成としたが、これに限定するものではない。無線基地局システムにおける１の無線基地局のみが収集部１５、カバーエリア一致検出部１６および運用判定部１７を備え、この無線基地局がマスター基地局として各スレーブ基地局の受信レベルを収集し、各スレーブ基地局の運用形態を決定する運用判定を行なう構成とすることができる。
【０２０５】
（５）  無線基地局システムの通信方式
本発明の実施の形態に係る無線基地局システムは、ＴＤＭＡ／ＴＤＤ方式で通信を行なう構成としたが、これに限定するものではない。ＴＤＭＡ／ＴＤＤ方式に限らず、マスター基地局およびスレーブ基地局が接続されて、スレーブ基地局が、無線端末局との通信を行なうのに必要な制御チャネルを使用せずにマスター基地局の制御に基づいて無線端末局と通信することが可能であれば、どのような通信方式を採用する無線基地局システムでもよい。
【０２０６】
（６）  無線基地局システムの構成
本発明の実施の形態に係る無線基地局システムでは、各無線基地局が縦続接続されている構成としたが、これに限定するものではない。マスター基地局およびスレーブ基地局が接続されて、スレーブ基地局が共通制御チャネルを使用せずにマスター基地局の制御に基づいて無線端末局と通信する共同運用が可能な接続形態であれば、どのようなものでもよい。
【０２０７】
たとえば、１つの無線基地局が他の複数の無線基地局と接続される構成とすることができる。また、各無線基地局システムは、有線および無線のいずれで接続されていてもよい。
【０２０８】
（７）  受信レベル測定対象の無線端末局
本発明の第１の実施の形態および第２の実施の形態に係る無線基地局システムでは、無線基地局システムにおける各無線基地局のうちの１の無線基地局が通信中の無線端末局からの無線信号を各無線基地局が受信して受信レベルを測定する構成としたが、これに限定するものではない。通信中の無線端末局でなくても、各無線基地局が無線信号の受信レベルを測定できる無線端末局であれば、受信レベルの測定対象とすることが可能である。
【０２０９】
（８）  フレーム構成
本発明の実施の形態に係る無線基地局システムでは、共通制御チャネル用のスロットおよび通話チャネルおよび個別制御チャネル用のスロットからなるフレーム構成としたが、これに限定するものではない。たとえば、共通制御チャネルおよび個別制御チャネルの区別がなく、無線端末局との通信に必要な制御情報全般を含む制御チャネル用のスロットおよび無線端末局との通信内容を含む通話チャネル用のスロットからなるフレーム構成でも、スレーブ基地局が制御チャネルを使用せずにマスター基地局の制御に基づいて動作することが可能であればよい。
【０２１０】
（９）  無線基地局が無線端末局へ送信する無線信号
本発明の第３の実施の形態に係る無線基地局システムでは、カバーエリア一致検出部１６は、判定対象スレーブ基地局またはマスター基地局が無線端末局へ送信する無線信号の受信レベルに基づいてマスター基地局および判定対象スレーブ基地局のカバーエリアが一致しているか否かを検出する構成としたが、これに限定するものではない。マスター基地局および判定対象スレーブ基地局における通信状態測定部１４が判定対象スレーブ基地局またはマスター基地局から受信した無線信号の受信レベルを測定する。そして、収集部１５が判定対象スレーブ基地局において測定された受信レベルおよびマスター基地局において測定された受信レベルを収集し、収集した受信レベルをカバーエリア一致検出部１６へ出力する。そして、カバーエリア一致検出部１６は、判定対象スレーブ基地局およびマスター基地局が無線端末局へ送信する無線信号の受信レベルに基づいてマスター基地局および判定対象スレーブ基地局のカバーエリアが一致しているか否かを検出する構成とすることができる。
【０２１１】
このような構成により、判定対象スレーブ基地局が無線端末局へ送信する無線信号の受信レベルおよびマスター基地局が無線端末局へ送信する無線信号の受信レベルのうちのいずれか一方のみを用いてカバーエリアの一致を判断する構成よりも、所定期間に受信レベルの測定値を多く得ることができるため、運用判定をより正確に行ない、また、運用判定に要する時間を短縮することができる。
【０２１２】
（１０）  受信レベル測定対象
本発明の第３の実施の形態に係る無線基地局システムでは、一方の無線基地局が無線端末局へ送信する無線信号を他方の無線基地局が受信して受信レベルを測定する構成としたが、これに限定するものではない。無線端末局へ送信する無線信号でなくても、運用判定用の無線信号を一方の無線基地局が他方の無線基地局へ送信し、他方の無線基地局がその無線信号の受信レベルを測定する構成とすることができる。
【０２１３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２１４】
【図１】第１の実施の形態に係る無線基地局システムの構成図である。
【図２】第１の実施の形態に係る無線基地局システムにおける無線基地局の構成を示す機能ブロック図である。
【図３】第１の実施の形態に係る無線基地局システムにおける制御局の構成を示す機能ブロック図である。
【図４】第１の実施の形態に係る無線基地局システムの動作手順を定めたフローチャートである。
【図５】第２の実施の形態に係る無線基地局システムの構成図である。
【図６】第２の実施の形態に係る無線基地局システムの動作手順を定めたフローチャートである。
【図７】第３の実施の形態に係る無線基地局システムにおける無線基地局の構成を示す機能ブロック図である。
【図８】減衰部３０の構成を示す図である。
【図９】第３の実施の形態に係る無線基地局システムの動作手順を定めたフローチャートである。
【図１０】第３の実施の形態に係る無線基地局システムの動作手順の変形例を定めたフローチャートである。
【符号の説明】
【０２１５】
１  アンテナ、２，３２，３３  スイッチ、３  受信部、４  復調部、５，２２  中央制御部、６，２１  回線制御部、７  インタフェース部、８  変調部、９  送信部、１０  通信用スロット処理部、１１  制御用スロット処理部、１２  リソース要求検出部、１３  リソース割当部、１４  通信状態測定部、１５  収集部、１６  カバーエリア一致検出部、１７  運用判定部、３０  減衰部、３１  減衰器、ｔ１〜ｔ６  端子、１０１  無線信号処理部、３０１〜３０３  無線基地局、４０１  制御局。
【図１】
2006197534.tif 000003
【図２】
2006197534.tif 000004
【図３】
2006197534.tif 000005
【図４】
2006197534.tif 000006
【図５】
2006197534.tif 000007
【図６】
2006197534.tif 000008
【図７】
2006197534.tif 000009
【図８】
2006197534.tif 000010
【図９】
2006197534.tif 000011
【図１０】
2006197534.tif 000012